(57)【特許請求の範囲】
【請求項１】
車両の進行方向と車両が所定時間後に走行する先の走行車線の接線とのなす角度、又は、車両の進行方向と車両から所定距離先の走行車線の接線とのなす角度を検出する車線角度検出手段と、
この車線角度検出手段の出力に基づき上記角度が０となるような車両の進行方向を算出する目標進行方向算出手段と、
上記目標進行方向算出手段の出力をもとに目標操舵車輪角を算出する目標操舵車輪角算出手段と、
運転者が操舵するハンドルの操舵角を検出するハンドル角検出手段と、
上記目標操舵車輪角算出手段の出力を上記ハンドルの操舵角より設定される所定操舵車輪角度範囲内に制限する操舵車輪角度制限手段と、
この操舵車輪角度制限手段の出力に基づいて、操舵車輪角を制御する操舵車輪駆動手段とより構成されて、車両の進行方向を制御することを特徴とする車両の車線維持支援装置。
【請求項２】
上記操舵車輪角度制限手段における所定操舵車輪角度範囲は、車両の速度に応じた範囲をとることを特徴とする請求項１記載の車両の車線維持支援装置。
【請求項３】
上記操舵車輪角度制限手段における所定操舵車輪角度範囲は、ハンドル角検出手段の出力に応じた範囲をとることを特徴とする請求項１又は請求項２記載の車両の車線維持支援装置。
【請求項４】
車両の進行方向と車両が所定時間後に走行する先の走行車線の接線とのなす角度、又は、車両の進行方向と車両から所定距離先の走行車線の接線とのなす角度を検出する車線角度検出手段と、
この車線角度検出手段の出力に基づき上記角度が０となるような車両の進行方向を算出する目標進行方向算出手段と、
上記目標進行方向算出手段の出力をもとに算出される車両のヨーレートを算出する目標ヨーレート算出手段と、
車両のヨーレートを検出するヨーレート検出手段と、
運転者が操舵するハンドルの操舵角を検出するハンドル角検出手段と、
車両の車速を検出する車速検出手段と、
上記ハンドル角検出手段の出力と上記車速検出手段の出力より車両のヨーレートを算出する基準ヨーレート算出手段と、
上記目標ヨーレート算出手段の出力を上記基準ヨーレート算出手段の出力を中心とする所定の範囲に制限する目標ヨーレート制限手段と、
上記目標ヨーレート制限手段の出力と上記ヨーレート検出手段の出力が等しくなるよう、操舵車輪角を制御する操舵車輪駆動手段とより構成されて、車両の進行方向を制御することを特徴とする車両の車線維持支援装置。
【請求項５】
上記目標ヨーレート制限手段における所定の範囲は、車両の速度に応じた範囲をとることを特徴とする請求項４記載の車両の車線維持支援装置。
【請求項６】
上記目標ヨーレート制限手段における所定の範囲は、上記ハンドル角検出手段の出力に応じた範囲をとることを特徴とする請求項４又は請求項５記載の車両の車線維持支援装置。
【請求項７】
車両の進行方向と車両が所定時間後に走行する先の走行車線の接線とのなす角度、又は、車両の進行方向と車両から所定距離先の走行車線の接線とのなす角度を検出する車線角度検出手段と、
この車線角度検出手段の出力に基づき上記角度が０となるような車両の進行方向を算出する目標進行方向算出手段と、
上記目標進行方向算出手段の出力をもとに算出される車両のヨーレートを算出する目標ヨーレート算出手段と、
車両のヨーレートを検出するヨーレート検出手段と、
運転者が操舵するハンドルの操舵角を検出するハンドル角検出手段と、
上記目標ヨーレート算出手段の出力と上記ヨーレート検出手段の出力が等しくなるよう、操舵車輪角を制御する操舵車輪駆動手段とより構成され、上記ハンドル角検出手段の出力に応じて、上記操舵車輪駆動手段により駆動される操舵車輪角の範囲を制限して、車両の進行方向を制御することを特徴とする車両の車線維持支援装置。
【請求項８】
車両の進行方向と車両が所定時間後に走行する先の走行車線の接線とのなす角度、又は、車両の進行方向と車両から所定距離先の走行車線の接線とのなす角度を検出する車線角度検出手段と、
この車線角度検出手段の出力に基づき上記角度が０となるような車両の進行方向を算出する目標進行方向算出手段と、
上記目標進行方向算出手段の出力をもとに算出される車両のヨーレートを算出する目標ヨーレート算出手段と、
車両のヨーレートを検出するヨーレート検出手段と、
運転者が操舵するハンドルの操舵角を検出するハンドル角検出手段と、
車両の車速を検出する車速検出手段と、
上記ハンドル角検出手段の出力と上記車速検出手段の出力より車両のヨーレートを算出する基準ヨーレート算出手段と、
上記目標ヨーレート算出手段の出力を上記基準ヨーレート算出手段の出力を中心とする所定の範囲に制限する目標ヨーレート制限手段と、
上記目標ヨーレート制限手段の出力と上記ヨーレート検出手段の出力が等しくなるよう、駆動車輪の左右駆動トルク分配比を制御するトルク分配比制御手段とより構成されて、車両の進行方向を制御することを特徴とする車両の車線維持支援装置。
【請求項９】
上記速度検出手段より検出した車速に応じて、上記駆動トルク分配比制御手段により駆動される左右の駆動輪のトルク分配比範囲を制限するトルク分配比範囲制限手段とを備えたことを特徴とする請求項８記載の車両の車線維持支援装置。
【請求項１０】
上記ハンドル角検出手段の出力に応じて、上記トルク分配比制御手段により駆動される左右の駆動輪のトルク分配比範囲を制限するトルク分配比範囲制限手段を備えたことを特徴とする請求項８又は請求項９記載の車両の車線維持支援装置。
【発明の詳細な説明】
【０００１】
【発明の属する技術分野】
この発明は、車両が走行車線を逸脱するのを防止する車両の車線維持支援装置に関するものである。
【０００２】
【従来の技術】
従来、例えば、特開平１１−１３９３３５号公報に開示されるように、車両が走行車線を逸脱しそうな状況を検知すると、車両が運転者に警報を発し、車両を走行車線に復帰させるべく、操舵制御を行う装置が知られている。上記従来の装置によれば、運転者の不注意により車両が車線を逸脱するのを有効に防止することができる。
【０００３】
【発明が解決しようとする課題】
しかし、車両の走行中には、運転者の不注意により車両が走行車線の端部に導かれる他に、運転者が意識的に車両を走行車線の端部に導き走行させる場合がある。上記従来の装置では、運転者の意図に関わりなく、車両が運転者に警報を発し、運転者が反応しないと、車両が操舵トルクを発生させる。このため、上記従来の装置を搭載する車両においては、運転者が意識的に走行車線の端部に車両を導いた場合には、運転者が警報や操舵トルクの介入に煩わしさを感ずる場合があるという問題点があった。
【０００４】
この発明は、上記のような問題点を解消するためになされたもので、車両の進行方向と走行車線との角度偏差を無くすように制御して、車両が走行車線を逸脱するのを防止する車両の車線維持支援装置を得ることを目的とする。
【０００５】
【課題を解決するための手段】
この発明に係わる車両の車線維持支援装置は、車両の進行方向と車両が所定時間後に走行する先の走行車線の接線とのなす角度、又は、車両の進行方向と車両から所定距離先の走行車線の接線とのなす角度を検出する車線角度検出手段と、この車線角度検出手段の出力に基づき上記角度が０となるような車両の進行方向を算出する目標進行方向算出手段と、この目標進行方向算出手段の出力をもとに目標操舵車輪角を算出する目標操舵車輪角算出手段と、運転者が操舵するハンドルの操舵角を検出するハンドル角検出手段と、上記目標操舵車輪角算出手段の出力を上記ハンドルの操舵角より設定される所定操舵車輪角度範囲内に制限する操舵車輪角度制限手段と、この操舵車輪角度制限手段の出力に基づいて、操舵車輪角を制御する操舵車輪駆動手段とより構成されて、車両の進行方向を制御するものである。
【０００６】
また、上記操舵車輪角度制限手段における所定操舵車輪角度範囲は、車両の速度に応じた範囲をとるものである。
【０００７】
また、上記操舵車輪角度制限手段における所定操舵車輪角度範囲は、ハンドル角検出手段の出力に応じた範囲をとるものである。
【０００８】
また、車両の進行方向と車両が所定時間後に走行する先の走行車線の接線とのなす角度、又は、車両の進行方向と車両から所定距離先の走行車線の接線とのなす角度を検出する車線角度検出手段と、この車線角度検出手段の出力に基づき上記角度が０となるような車両の進行方向を算出する目標進行方向算出手段と、上記目標進行方向算出手段の出力をもとに算出される車両のヨーレートを算出する目標ヨーレート算出手段と、車両のヨーレートを検出するヨーレート検出手段と、
運転者が操舵するハンドルの操舵角を検出するハンドル角検出手段と、車両の車速を検出する車速検出手段と、上記ハンドル角検出手段の出力と上記車速検出手段の出力より車両のヨーレートを算出する基準ヨーレート算出手段と、上記目標ヨーレート算出手段の出力を上記基準ヨーレート算出手段の出力を中心とする所定の範囲に制限する目標ヨーレート制限手段と、上記目標ヨーレート制限手段の出力と上記ヨーレート検出手段の出力が等しくなるよう、操舵車輪角を制御する操舵車輪駆動手段とより構成されて、車両の進行方向を制御するものである。
【０００９】
また、上記目標ヨーレート制限手段における所定の範囲は、車両の速度に応じた範囲をとるものである。
【００１０】
また、上記目標ヨーレート制限手段における所定の範囲は、上記ハンドル角検出手段の出力に応じた範囲をとるものである。
【００１１】
また、車両の進行方向と車両が所定時間後に走行する先の走行車線の接線とのなす角度、又は、車両の進行方向と車両から所定距離先の走行車線の接線とのなす角度を検出する車線角度検出手段と、この車線角度検出手段の出力に基づき上記角度が０となるような車両の進行方向を算出する目標進行方向算出手段と、上記目標進行方向算出手段の出力をもとに算出される車両のヨーレートを算出する目標ヨーレート算出手段と、車両のヨーレートを検出するヨーレート検出手段と、
運転者が操舵するハンドルの操舵角を検出するハンドル角検出手段と、上記目標ヨーレート算出手段の出力と上記ヨーレート検出手段の出力が等しくなるよう、操舵車輪角を制御する操舵車輪駆動手段とより構成され、上記ハンドル角検出手段の出力に応じて、上記操舵車輪駆動手段により駆動される操舵車輪角の範囲を制限して、車両の進行方向を制御するものである。
【００１２】
また、車両の進行方向と車両が所定時間後に走行する先の走行車線の接線とのなす角度、又は、車両の進行方向と車両から所定距離先の走行車線の接線とのなす角度を検出する車線角度検出手段と、この車線角度検出手段の出力に基づき上記角度が０となるような車両の進行方向を算出する目標進行方向算出手段と、上記目標進行方向算出手段の出力をもとに算出される車両のヨーレートを算出する目標ヨーレート算出手段と、車両のヨーレートを検出するヨーレート検出手段と、運転者が操舵するハンドルの操舵角を検出するハンドル角検出手段と、車両の車速を検出する車速検出手段と、上記ハンドル角検出手段の出力と上記車速検出手段の出力より車両のヨーレートを算出する基準ヨーレート算出手段と、上記目標ヨーレート算出手段の出力を上記基準ヨーレート算出手段の出力を中心とする所定の範囲に制限する目標ヨーレート制限手段と、上記目標ヨーレート制限手段の出力と上記ヨーレート検出手段の出力が等しくなるよう、駆動車輪の左右駆動トルク分配比を制御するトルク分配比制御手段とより構成されて、車両の進行方向を制御するものである。
また、速度検出手段より検出した車速に応じて、上記駆動トルク分配比制御手段により駆動される左右の駆動輪のトルク分配比範囲を制限するトルク分配比範囲制限手段とを備えたものである。
またさらに、上記ハンドル角検出手段の出力に応じて、上記トルク分配比制御手段により駆動される左右の駆動輪のトルク分配比範囲を制限するトルク分配比範囲制限手段を備えたものである。
【００１３】
【発明の実施の形態】
実施の形態１．
図１は、参考例１に係る車両の車線維持支援装置の構成ブロック図である。図において、１は車線角度検出手段であり、車両と車両が所定時間後に走行する先の走行車線の接線とがなす角度、又は、車両と車両から所定距離先の走行車線の接線とがなす角度を検出する。２は目標進行方向算出手段であり、車線角度検出手段１の出力をもとに、上記角度が０となるような車両の目標進行方向を算出するものである。３は進行方向制御手段であり、目標進行方向算出手段２の出力に基づいて、車両の進行方向を制御するものである。
【００１４】
まず、目標進行方向算出手段２の動作例について、図２及び図４を用いて詳しく説明する。図２は、車両の位置と前方の道路との関係を示した図であり、２０は、車両が走行する走行車線を示している。図４は、参考例１の動作を示すフローチャートである。図２において、２１はｔ１時点における車両の位置、２３はその時点での車両の進行方向を示している。２２は（車両位置ｔ１から所定距離ｌ隔たった先の）所定距離地点ｔ２あるいは、所定時間後（例えば約２秒後）に走行する先のｔ２時点での期待される車両の位置を示している。なお、所定距離は、例えば、車速と所定時間（例えば約２秒）とより算出される。２５は、車両の進行方向２３と、（所定距離地点ｔ２での進行方向を示す）所定距離地点ｔ２における走行車線の接線２４とがなす角度（角度偏差）θｄを示しており、後で説明する車線角度検出手段１の出力である（図４  Step０２）。理想的に考えると、車両は、ｔ２時点までで角度θｄ分回転する必要がある。なお、２６は車両位置ｔｘを示す。
【００１５】
即ち、ｔ１時点からｔ２時点までにかかる時間をｔとすると、理想的な車両の目標ヨーレートγrは、
【数１】
0003729494.tif 000002
で表される（図４  Step０３）。式（１）で示される目標ヨーレートγrが、目標進行方向算出手段２の出力となる。
【００１６】
次に、進行方向制御手段３について説明する。まず進行方向制御手段３が、図３に示すような、前輪で（後輪も同様であるが）制御する場合について説明する。図３は参考例１の車両の車線維持支援装置のシステム構成図である。図において、４は車速検出手段であり、車両の速度を検出する。３は進行方向制御手段であり、目標進行方向算出手段２の出力及び、車速検出手段４の出力が入力されて、目標操舵車輪角を出力する目標操舵車輪角算出手段３０１と、上記目標操舵車輪角算出手段３０１の出力に基づいて、操舵車輪機構５を駆動する操舵車輪駆動手段３０２より構成されている。さらに、操舵車輪駆動手段３０２は、操舵車輪角制御手段３０２Ａ、操舵機構駆動モータ３０２Ｂ、回転伝達機構３０２Ｃ、操舵車輪角度検出手段３０２Ｄより構成されている。５は操舵車輪機構であり、ラックアンドピニオン機構５０３、操舵車輪５０１，５０２より構成されている。
【００１７】
いま、車速検出手段４より車速ｖ（図４  Step０４）、目標進行方向算出手段２より目標ヨーレートγｒが入力されたとする。一般に、ハンドル角θと車速ｖとヨーレートγの関係は、スタビリティーファクタＡを用いて式（２）のように表せる。
【数２】
0003729494.tif 000003
但し
γ  :  ヨーレート
A  :  スタビリティファクタ
ｖ  :  車速
l  :  ホイールベース
θ  :  ハンドル角
【００１８】
従って、目標ヨーレートγｒを得ようとすると、目標ハンドル角（目標操舵車輪角）θrefは、式（３）のように求めることができる（図４  Step０５）。
【数３】
0003729494.tif 000004
操舵車輪駆動手段３０２は、操舵車輪角度検出手段３０２Ｄの出力が、上記θrefと等しくなるよう、操舵機構駆動モータ３０２Ｂを駆動し、回転伝達機構３０２Ｃを介して、操舵車輪機構５を駆動する。
【００１９】
以上の動作を所定時間（図４  Step０６）毎に繰り返すことにより、図５に示すよう、車両と走行車線とのなす角が０で無い場合、上記角度が０となるよう制御することが可能となる。即ち、図５のＴａ時点で、角度θｄが生じていた場合、先に説明したように操舵車輪は、角度θｄが小さくなるように操舵されるので、時間の経過と共に０に近づく。従って、所定時間後には、θｄは減少するため、このθｄを元に算出されるθｒｅｆも減少することになる。すると、θｄの減少程度もそれにつれて小さくなってくるので、図に示すよう、なだらかなカーブを描いてθｄは、０に収束することになる（Ｔｂ時点）。
【００２０】
また、通常ドライバは、自分の意志で車両の進行方向をハンドル６を操舵することにより制御している。しかし、上記説明したように、本装置は、車両と走行車線とがなす角θｄに応じて、車両の進行方向と走行車線とが平行となるように操舵車輪の操舵角を制御するので、干渉を生じる恐れがある。従って、本装置では、運転者が操舵するハンドルの動きから独立して、操舵車輪の操舵角を制御できる操舵機構が望ましい。例として、特開２０００−４３７４６号公報に開示しているような、ハンドルと操舵車輪との間の機械的リンクを廃したステアリングバイワイヤと称される操舵装置や、特開平６−２０６５５３号公報に開示されているような、電気的に制御可能な副操舵機構を備える操舵装置を用いることにより、運転者の操舵と、車線維持のための操舵車輪の制御との干渉が避けられる。
また、操舵車輪角を制御する操舵車輪駆動手段は、運転者が操舵するハンドルの操舵角に電気的に制御可能な補助操舵角を付勢して加え、操舵車輪の操舵車輪角を制御するようにしても良い。
【００２１】
図６は実施の形態１の車両の車線維持支援装置のシステム構成図である。図６に示すように、ハンドルの操舵角を検出するハンドル角検出手段７を備えると共に、目標操舵車輪角算出手段３０１の出力を上記ハンドルの操舵角より設定される所定操舵車輪角度範囲内（例えば、車両走行時の修正舵の大きさでハンドル角にして、±５deg程度内）に制限をかける操舵車輪角度制限手段３０３を備えることで、運転者が意図した操舵角に対して大きな操舵角の違いがでないようにしたほうが良い。図７にその制限の例を示す。図７(a)は、車速に応じて、運転者が操舵するハンドル角θhndlと、目標操舵車輪角θrefとの偏差の許容範囲を示した図である。この図は、横軸が車速であり、低速では運転者の意図により忠実となるよう、制御範囲を狭め、車線維持を支援して欲しいと運転者が考えるであろう中・高速域では制御範囲を広く（つまり上記所定操舵車輪角度範囲一杯にし）、さらに高速になると、運転者の意図しない車両挙動により運転フィーリングが劣化しないように、制御範囲を狭めている。
【００２２】
また、図７(b)では、横軸がハンドル角θhndlであり、運転者の注意力が散漫となる小舵角時は制御範囲を大きく、また大きな操舵をしているときは、運転者の意図通りの動きを実現すべく、制限範囲を狭めている。また、図には示していないが、(a)(b)の両方を加味して、車速とハンドル角で制限範囲を設定しても良い。
【００２３】
実施の形態２．
図８は参考例２に係る車両の車線維持支援装置のシステム構成図である。この構成は、参考例１と比較して、ヨーレート検出手段８が加わったことと、目標操舵車輪角算出手段３０１を、目標ヨーレート算出手段３０４に置き換えた点が大きく異なっている。図において、車線角度検出手段１及び目標進行方向算出手段２は、参考例１と同一或いは相当品である。また、目標ヨーレート算出手段３０４は、目標進行方向算出手段２の出力が入力されて目標ヨーレートγｒを算出するものであるが、参考例１の説明では、目標進行方向算出手段２の動作において、目標ヨーレートγｒを算出するようにしているので、ここでは詳細は省略する。即ち、目標進行方向算出手段２の出力が、目標ヨーレートγｒではない場合、その出力から目標ヨーレートγｒを算出するものである。
【００２４】
参考例１で説明したように、車両と走行車線とを平行に制御するのに必要な目標ヨーレートγｒが得られているので、操舵車輪駆動手段３０２は、その構成要素である操舵車輪角制御手段３０２Ａによって、目標ヨーレートγｒと、ヨーレート検出手段８の出力γｓが等しくなるよう操舵機構駆動モータ３０２Ｂを駆動することにより、参考例１と同様の動作ができる。
【００２５】
図９は、実施の形態２に係る車両の車線維持支援装置のシステム構成図である。図９に示すように、ハンドル角を検出するハンドル角検出手段７と、目標ヨーレート算出手段３０４の出力に制限をかける目標ヨーレート制限手段３０５を備えると共に、ハンドル角検出手段７の出力と車速検出手段４の出力より、実施の形態１の式（２）に示したような式を用いて、ヨーレートγ、即ち基準ヨーレートγrefを算出する基準ヨーレート算出手段３０６を備え、目標ヨーレート制限手段３０５で、目標ヨーレート算出手段３０４の出力を基準ヨーレート算出手段３０６の出力を中心とする所定の範囲に制限し、（例えば、車両走行時の修正舵により発生するヨーレート程度の大きさで３deg/s程度の範囲に制限し、）目標ヨーレート制限手段３０５の出力とヨーレート検出手段８の出力が等しくなるよう、操舵車輪角を操舵車輪駆動手段３０２より制御する。このようにして、運転者が意図した操舵角に対して大きな運転フィーリングの違いがでないようにしたほうが良い。
【００２６】
図１０に目標ヨーレート制限手段における制限の例を示す。図１０（ａ）は、車速に応じて、運転者が操舵するハンドル角に対応した基準ヨーレートγrefと、目標ヨーレートγｒとの偏差の許容範囲を示した図である。この図は、横軸が車速であり、低速では運転者の意図により忠実となるよう、制御範囲を狭め、車線維持を支援して欲しいと運転者が考えるであろう中・高速域では制御範囲を広く（つまり上記所定の範囲一杯にし）、さらに高速になると、運転者の意図しない車両挙動により運転フィーリングが劣化しないように、制御範囲を狭めている。また、図１０（ｂ）では、横軸がハンドル角θhndlであり、運転者の注意力が散漫となる小舵角時は制御範囲を大きく、また大きな操舵をしているときは、運転者の意図通りの動きを実現すべく、制限範囲を狭めている。また、図には示していないが、(ａ)（ｂ）の両方を加味して、車速とハンドル角で制限範囲を設定しても良い。
【００２７】
実施の形態３．
図１１は、この発明の実施の形態３に係る車両の車線維持支援装置のシステム構成図である。この構成は、実施の形態２と比較して、ヨーレートの制御方法が前輪から後輪になっている点が異なっている。即ち、図において、７は前輪のハンドル角を検出するハンドル角検出手段である。９は後輪操舵機構であり、前輪と同様ラックアンドピニオン機構９０３等を用いて、後輪９０１，９０２の操舵が可能なように構成されている。また、３０７は、後輪操舵駆動手段であり、実施の形態２と同様に、目標ヨーレートγｒに基づいて、後輪９０１，９０２の操舵角を制御するものである。後輪車輪角制御手段３０７Ａは操舵車輪角制御手段３０２Ａ、３０７Ｂは操舵機構駆動モータ３０２Ｂ、３０７Ｃは回転伝達機構３０２Ｃにそれぞれ対応している。即ち、車両のヨーレートを制御するための手段が前輪から後輪になっている点で異なり、動作については、実施の形態２と同等である。
【００２８】
実施の形態４．
図１２は、この発明の実施の形態４に係る車両の車線維持支援装置のシステム構成図である。この構成は、実施の形態３と比較して、制御の制限方法が異なる。即ち、図において、３０７Ｄは後輪操舵角検出手段である。３０７Ｅは後輪操舵角制限手段で、後輪操舵角検出手段３０７Ｄの出力と、前輪のハンドル角検出手段７の出力と、車速検出手段４の出力が入力され、これらの出力に応じて、操舵車輪駆動手段により駆動される操舵車輪角の範囲を制限する。図１３に後輪操舵角制限手段における制限の例を示す。図１３（ａ）は、車速に応じて、後輪操舵角θrearの許容範囲を示した図である。この図は、横軸が車速であり、低速では運転者の意図により忠実となるよう、制御範囲を狭め、車線維持を支援して欲しいと運転者が考えるであろう中・高速域では制御範囲を広く、さらに高速になると、運転者の意図しない車両挙動により運転フィーリングが劣化しないように、制御範囲を狭めている。また、図１３（ｂ）では、横軸が前輪のハンドル角θhndlであり、運転者の注意力が散漫となる小舵角時は制御範囲を大きく、また大きな操舵をしているときは、運転者の意図通りの動きを実現すべく、制限範囲を狭めている。また、図には示していないが、(ａ)（ｂ）の両方を加味して、車速とハンドル角で制限範囲を設定しても良い。なお、図１３では、後輪操舵角制限手段に適用した例を示したが、これを前輪操舵角制限手段に適用しても同様である。
【００２９】
実施の形態５．
図１４は、この発明の実施の形態５に係る車両の車線維持支援装置のシステム構成図である。この構成は、実施の形態２と比較して、ヨーレートの制御方法が異なる。即ち、図において、３０８は駆動トルク分配手段であり、駆動トルク分配機構を持つデファレンシャルギア３０８Ｂと左右の駆動輪３０８Ｃ，３０８Ｄより構成されている。ここで、トルク分配手段３０８について説明する。デファレンシャルギア３０８Ｂは、トルク分配比制御手段３０８Ａからの指令により、左右の駆動輪３０８Ｃ，３０８Ｄへ伝達する駆動トルクの分配比を変更する。即ち、駆動輪に生じている駆動トルクが左右異なる訳である。この異なる駆動トルクによって、車両にはヨーレートが生じることになる。従って、実施の形態２が前輪の操舵角によってヨーレートを制御していたのに対して、この実施例では、駆動輪３０８Ｃ，３０８Ｄの左右の駆動トルクの差を用いてヨーレートを制御する点が異なる。
【００３０】
また、速度検出手段より検出した車速に応じて、駆動トルク分配比制御手段により駆動される左右の駆動輪のトルク分配比範囲を制限するトルク分配比範囲制限手段を設けても良い。
また、ハンドル角検出手段の出力に応じて、駆動トルク分配比制御手段により駆動される左右の駆動輪のトルク分配比範囲を制限するトルク分配比範囲制限手段を備えても良い。
また、速度検出手段より検出した車速とハンドル角検出手段の出力に応じて、駆動トルク分配比制御手段により駆動される左右の駆動輪のトルク分配比範囲を制限するトルク分配比範囲制限手段を備えても良い。
【００３１】
【発明の効果】
以上説明したように、この発明の車両の車線維持支援装置によれば、車両の進行方向と車両が所定時間後に走行する先の走行車線の接線とのなす角度、又は、車両の進行方向と車両から所定距離先の走行車線の接線とのなす角度を検出する車線角度検出手段と、この車線角度検出手段の出力に基づき上記角度が０となるような車両の進行方向を算出する目標進行方向算出手段と、上記目標進行方向算出手段の出力をもとに目標操舵車輪角を算出する目標操舵車輪角算出手段と、運転者が操舵するハンドルの操舵角を検出するハンドル角検出手段と、上記目標操舵車輪角算出手段の出力を上記ハンドルの操舵角より設定される所定操舵車輪角度範囲内に制限する操舵車輪角度制限手段と、この操舵車輪角度制限手段の出力に基づいて、操舵車輪角を制御する操舵車輪駆動手段とより構成されて、車両の進行方向を制御するようにしたので、車両の進行方向と走行車線との角度偏差を無くすように制御されて、車両が走行車線を逸脱するのを防止でき、運転者が意識的に走行車線の端部に車両を導くことも可能であり、さらに、操舵車輪角度制限手段の所定値は、ハンドル角に応じた値をとることで、運転者の操舵への影響を少なくできる。
【００３２】
また、操舵車輪角度制限手段における所定操舵車輪角度範囲は、車両の速度に応じた範囲をとるので、速度に関係して、安定した走行が可能である。
【００３３】
また、操舵車輪角度制限手段における所定操舵車輪角度範囲は、ハンドル角検出手段の出力に応じた範囲をとるので、ハンドル角に関係して、安定した走行が可能である。
【００３４】
また、車両の進行方向と車両が所定時間後に走行する先の走行車線の接線とのなす角度、又は、車両の進行方向と車両から所定距離先の走行車線の接線とのなす角度を検出する車線角度検出手段と、この車線角度検出手段の出力に基づき上記角度が０となるような車両の進行方向を算出する目標進行方向算出手段と、上記目標進行方向算出手段の出力をもとに算出される車両のヨーレートを算出する目標ヨーレート算出手段と、車両のヨーレートを検出するヨーレート検出手段と、
運転者が操舵するハンドルの操舵角を検出するハンドル角検出手段と、車両の車速を検出する車速検出手段と、上記ハンドル角検出手段の出力と上記車速検出手段の出力より車両のヨーレートを算出する基準ヨーレート算出手段と、上記目標ヨーレート算出手段の出力を上記基準ヨーレート算出手段の出力を中心とする所定の範囲に制限する目標ヨーレート制限手段と、上記目標ヨーレート制限手段の出力と上記ヨーレート検出手段の出力が等しくなるよう、操舵車輪角を制御する操舵車輪駆動手段とより構成されて、車両の進行方向を制御するようにしたので、車両が走行車線を逸脱するのを防止できると共に、車両安定制御を両立して行うことができる。
【００３５】
また、目標ヨーレート制限手段における所定の範囲は、車両の速度に応じた範囲をとるので、速度に関係して、安定した走行が可能である。
【００３６】
また、上記目標ヨーレート制限手段における所定の範囲は、ハンドル角検出手段の出力に応じた範囲をとるので、ハンドル角に関係して、安定した走行が可能である。
【００３７】
また、車両の進行方向と車両が所定時間後に走行する先の走行車線の接線とのなす角度、又は、車両の進行方向と車両から所定距離先の走行車線の接線とのなす角度を検出する車線角度検出手段と、この車線角度検出手段の出力に基づき上記角度が０となるような車両の進行方向を算出する目標進行方向算出手段と、上記目標進行方向算出手段の出力をもとに算出される車両のヨーレートを算出する目標ヨーレート算出手段と、車両のヨーレートを検出するヨーレート検出手段と、
運転者が操舵するハンドルの操舵角を検出するハンドル角検出手段と、上記目標ヨーレート算出手段の出力と上記ヨーレート検出手段の出力が等しくなるよう、操舵車輪角を制御する操舵車輪駆動手段とより構成され、上記ハンドル角検出手段の出力に応じて、上記操舵車輪駆動手段により駆動される操舵車輪角の範囲を制限して、車両の進行方向を制御するようにしたので、ハンドル角に関係して、安定した走行が可能である。
【００３８】
また、車両の進行方向と車両が所定時間後に走行する先の走行車線の接線とのなす角度、又は、車両の進行方向と車両から所定距離先の走行車線の接線とのなす角度を検出する車線角度検出手段と、この車線角度検出手段の出力に基づき上記角度が０となるような車両の進行方向を算出する目標進行方向算出手段と、上記目標進行方向算出手段の出力をもとに算出される車両のヨーレートを算出する目標ヨーレート算出手段と、車両のヨーレートを検出するヨーレート検出手段と、
運転者が操舵するハンドルの操舵角を検出するハンドル角検出手段と、車両の車速を検出する車速検出手段と、上記ハンドル角検出手段の出力と上記車速検出手段の出力より車両のヨーレートを算出する基準ヨーレート算出手段と、上記目標ヨーレート算出手段の出力を上記基準ヨーレート算出手段の出力を中心とする所定の範囲に制限する目標ヨーレート制限手段と、上記目標ヨーレート制限手段の出力と上記ヨーレート検出手段の出力が等しくなるよう、駆動車輪の左右駆動トルク分配比を制御するトルク分配比制御手段とより構成されて、車両の進行方向を制御するので、車両が走行車線を逸脱するのを防止できると共に、車両安定制御を両立して行うことができる。
また、速度検出手段より検出した車速に応じて、上記駆動トルク分配比制御手段により駆動される左右の駆動輪のトルク分配比範囲を制限するトルク分配比範囲制限手段とを備えたので、速度に関係して、安定した走行が可能である。
また更に、ハンドル角検出手段の出力に応じて、駆動トルク分配比制御手段により駆動される左右の駆動輪のトルク分配比範囲を制限するトルク分配比範囲制限手段を備えたので、ハンドル角に関係して、安定した走行が可能である。
【図面の簡単な説明】
【図１】  参考例１に係る車両の車線維持支援装置の構成ブロック図である。
【図２】  車両の位置と前方の道路との関係を示した図である。
【図３】  参考例１の車両の車線維持支援装置のシステム構成図である。
【図４】  参考例１の動作を示すフローチャートである。
【図５】  参考例１の動作を示すタイムチャートである。
【図６】  実施の形態１の車両の車線維持支援装置のシステム構成図である。
【図７】  操舵車輪角度制限手段における制限例を説明する図である。
【図８】  参考例２に係る車両の車線維持支援装置のシステム構成図である。
【図９】  実施の形態２に係る車両の車線維持支援装置のシステム構成図である。
【図１０】  目標ヨーレート制限手段における制限例を説明する図である。
【図１１】  実施の形態３に係る車両の車線維持支援装置のシステム構成図である。
【図１２】  実施の形態４に係る車両の車線維持支援装置のシステム構成図である。
【図１３】  後輪操舵角制限手段における制限例を説明する図である。
【図１４】  実施の形態５に係る車両の車線維持支援装置のシステム構成図である。
【符号の説明】
１  車線角度検出手段                ２  目標進行方向算出手段
３  進行方向制御手段                ４  車速検出手段
５  操舵車輪機構                    ６  ハンドル
７  ハンドル角検出手段              ８  ヨーレート検出手段
９  後輪操舵機構
２０  走行車線                      ２１  車両位置t1
２２  所定距離地点ｔ２              ２３  車両の進行方向
２４  所定距離地点ｔ２における車体進行方向
２５  角度偏差θd
３０１  目標操舵車輪角算出手段      ３０２  操舵車輪駆動手段
３０２Ａ  操舵車輪角制御手段
３０２Ｂ，３０７Ｂ  操舵機構駆動モータ
３０２Ｃ，３０７Ｃ  回転伝達機構
３０２Ｄ  操舵車輪角度検出手段
３０３  操舵車輪角度制限手段
３０４  目標ヨーレート算出手段
３０５  目標ヨーレート制限手段
３０６  基準ヨーレート算出手段
３０７Ａ  後輪車輪角制御手段
３０７Ｄ  後輪操舵角検出手段
３０７Ｅ  後輪操舵角制限手段
３０８  駆動トルク分配手段
３０８Ａ  トルク分配比制御手段
３０８Ｂ  デファレンシャルギア
３０８Ｃ，３０８Ｄ  駆動輪
３０５．目標ヨーレート制限手段
３０７  後輪操舵角駆動手段
３０８．駆動トルク分配手段
５０１，５０２  操舵車輪
５０３，９０３  ラックアンドピニオン機構
９０１，９０２  後輪。
【図１】
0003729494.tif 000005
【図２】
0003729494.tif 000006
【図３】
0003729494.tif 000007
【図４】
0003729494.tif 000008
【図５】
0003729494.tif 000009
【図６】
0003729494.tif 000010
【図７】
0003729494.tif 000011
【図８】
0003729494.tif 000012
【図９】
0003729494.tif 000013
【図１０】
0003729494.tif 000014
【図１１】
0003729494.tif 000015
【図１２】
0003729494.tif 000016
【図１３】
0003729494.tif 000017
【図１４】
0003729494.tif 000018